(57)【特許請求の範囲】
【請求項１】
バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、
前記締め付け間隙を介し前記一対の締め付け部を互いに近づけて前記バッテリーポスト挿入穴を縮径方向に縮める締め付け手段、
を備えたバッテリーターミナルであって，
前記締め付け手段は，
平面視短冊形状の金属板を折り曲げて形成され、中央に第一ボルト挿通孔が貫通形成されており、前記一対の締め付け部の各上側外面に対向する第一基板と、該第一基板の左右方向の両端部にそれぞれ連成され前記各上側外面の一端部に接触する一対の第一テーパ部が形成される第一ブラケットと，
平面視短冊形状の金属板を折り曲げて形成され、中央に前記第一ボルトに対する第二ボルト挿通孔が貫通形成されており、前記一対の締め付け部の各下側外面に対向する第二基板と、該第二基板の前記左右方向の両端部にそれぞれ連成され前記各下側外面の一端部に接触する一対の第二テーパ部が形成される第二ブラケットと，
前記環状部の上側から操作されると前記バッテリーポスト挿入穴の軸に沿って螺合状態が進行するとともに前記軸の方向に沿って前記第一ブラケットと前記第二ブラケットとの間隔を狭める第一ボルト及び第一ナットと，
を有してなり，
前記バッテリーターミナル本体に対しセットしたときに、前記第一基板が前記バッテリーターミナル本体の連結部の各上側外面に対向し、前記第一テーパ部が前記連結部の各上側外面の一端部に接触し、前記第二基板が前記バッテリーターミナル本体の連結部の各下側外面に対向し、前記第二テーパ部が前記連結部の各下側外面の一端部に接触するように構成した
ことを特徴とするバッテリーターミナル。
【請求項２】
接続時にバッテリーポストの先端側となる上基板及び基端側となる下基板を有するとともに、前記上基板及び前記下基板に前記バッテリーポストを挿入するためのバッテリーポスト挿入穴を一部分断された部分を有する状態で上下方向に貫通形成した一対の環状部と、左右方向に貫通する挿通空間を形成して前記上基板及び前記下基板を連結するとともに、前記一部分断された部分に連通する締め付け間隙を設けて並設される一対の締め付け部と、を有するバッテリーターミナル本体、及び、
前記締め付け間隙を介し前記一対の締め付け部を互いに近づけて前記バッテリーポスト挿入穴を縮径方向に縮める締め付け手段、
を備えたバッテリーターミナルであって，
前記締め付け手段は，
平面視短冊形状の金属板を折り曲げて形成され、中央に第二ボルト挿通孔が螺合する雌ネジ部が形成されており、前記挿通空間に挿通される第三基板と、該第三基板の左右方向の両端部にそれぞれ連成され前記一対の締め付け部の上側内面の一端部に接触する一対の第三テーパ部が形成される第三ブラケットと、
平面視短冊形状の金属板を折り曲げて形成され、前記挿通空間に挿通される第四基板と、該第四基板の左右方向の両端部にそれぞれ連成され前記一対の締め付け部の下側内面の一端部に接触する一対の第四テーパ部とを有する第四ブラケットと，
前記上基板側から操作され前記雌ネジ部が螺合するとともにネジ部の先端が前記第四基板に当接し、その軸がバッテリーポスト挿入穴の軸に沿って平行となるように配置され、その頭部が上基板側に配置され、且つネジ部が締め付け間隙に挿通されるようになっている第二ボルトと，
を有してなり，
前記バッテリーターミナル本体に対しセットしたときに、前記第三基板が前記バッテリーターミナル本体の連結部の各上側内面に対向し、前記第三テーパ部が前記連結部の各上側内面の一端部に接触し、前記第四基板が前記バッテリーターミナル本体の連結部の各下側内面に対向し、前記第四テーパ部が前記連結部の各下側内面の一端部に接触するように構成した
ことを特徴とするバッテリーターミナル。
【発明の詳細な説明】
【０００１  】
【発明の属する技術分野】
本発明は、バッテリーポスト挿入穴を有するバッテリーターミナル本体と、バッテリーポスト挿入穴を縮径方向に縮める締め付け手段とを備えたバッテリーターミナルに関する。
【０００２  】
【従来の技術】
図８において、従来より用いられるバッテリーターミナル１は、導電性を有する金属板をプレス加工することにより製造されており、バッテリーポスト２に対する一対の環状部３、４と、一対の接合板５、６とを備えている。
【０００３  】
一対の環状部３、４は、略Ｕ字状に折り曲げられた締め付け部としての連結部７、７の各端部に連成されており、上下方向に重なるように配設されている。また、環状部３、４の各中央には、バッテリーポスト２を挿入するためのポスト挿入穴８、８が穿設されている。そのポスト挿入穴８、８には、バッテリーポスト２に接触する接触部９、９が折曲形成されている。環状部３、４は、ポスト挿入穴８、８の円周方向の一箇所が分断されており、そこに締め付け間隙１０、１０が開放形成されている。
【０００４  】
一対の接合板５、６は、各々、環状部３、４の連結部７、７の逆側に連成されている。また、接合板５、６は、上下方向に重なるように配設されている。下側の接合板６は、先端が上を向く側壁１１、１１を有しており、その側壁１１、１１の外側には、先端が下を向く、上側の接合板５の両側壁１２、１２が配置されている。下側の接合板６には、上側の接合板５を貫通する端子固定ボルト１３が立設されている。その端子固定ボルト１３は、接合板５、６で形成された空間に収納されている。
【０００５  】
尚、上記端子固定ボルト１３に挿通されて接続固定される外部接続端子１４は、車体側の電線１５の端末に設けられており、ワッシャ１６と共にナット１７で締め付けられるようになっている。外部接続端子１４は、ボルト挿通孔１８を有する電気接触部１９と、その電気接触部１９に連続し電線１５の端末を圧着する電線接続部２０とを備えて構成されている。
【０００６  】
上記構成において、バッテリーターミナル１のバッテリーポスト２に対する取り付けは、環状部３、４の連結部７、７に挿通したボルト２１をナット２２で締め付け、締め付け間隙１０、１０を狭めることで行われるようになっている。その際、バッテリーポスト２には、ポスト挿入穴８、８の接触部９、９が接触するようになっている。
【０００７  】
【発明が解決しようとする課題】
ところで上記従来技術にあっては、インパクトレンチ等の工具でナット２２をバッテリーポスト２の横側（水平方向）から締め付けて、バッテリーターミナル１をバッテリーポスト２へ取り付ける作業を行っていた。しかしながら、近年のエンジンルーム内の設置部品の過密化した状態においては、上記工具が設置部品に干渉し易く、バッテリーターミナル１の取り付けに係る作業に影響を来していた。
【０００８  】
本発明は、上述した事情に鑑みてなされるもので、取り付けに係る作業を容易にすることが可能なバッテリーターミナルを提供することを課題とする。
【０００９】
【課題を解決するための手段】
上記課題を解決するためなされた請求項１記載の本発明のバッテリーターミナルは、バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、前記締め付け間隙を介し前記一対の締め付け部を互いに近づけて前記バッテリーポスト挿入穴を縮径方向に縮める締め付け手段、を備えたバッテリーターミナルであって，前記締め付け手段は，平面視短冊形状の金属板を折り曲げて形成され、中央に第一ボルト挿通孔が貫通形成されており、前記一対の締め付け部の各上側外面に対向する第一基板と、該第一基板の左右方向の両端部にそれぞれ連成され前記各上側外面の一端部に接触する一対の第一テーパ部が形成される第一ブラケットと，平面視短冊形状の金属板を折り曲げて形成され、中央に前記第一ボルトに対する第二ボルト挿通孔が貫通形成されており、前記一対の締め付け部の各下側外面に対向する第二基板と、該第二基板の前記左右方向の両端部にそれぞれ連成され前記各下側外面の一端部に接触する一対の第二テーパ部が形成される第二ブラケットと，前記環状部の上側から操作されると前記バッテリーポスト挿入穴の軸に沿って螺合状態が進行するとともに前記軸の方向に沿って前記第一ブラケットと前記第二ブラケットとの間隔を狭める第一ボルト及び第一ナットと，を有してなり，前記バッテリーターミナル本体に対しセットしたときに、前記第一基板が前記バッテリーターミナル本体の連結部の各上側外面に対向し、前記第一テーパ部が前記連結部の各上側外面の一端部に接触し、前記第二基板が前記バッテリーターミナル本体の連結部の各下側外面に対向し、前記第二テーパ部が前記連結部の各下側外面の一端部に接触するように構成したことを特徴としている。
【００１０】
上記課題を解決するためなされた請求項２記載の本発明のバッテリーターミナルは、接続時にバッテリーポストの先端側となる上基板及び基端側となる下基板を有するとともに、前記上基板及び前記下基板に前記バッテリーポストを挿入するためのバッテリーポスト挿入穴を一部分断された部分を有する状態で上下方向に貫通形成した一対の環状部と、左右方向に貫通する挿通空間を形成して前記上基板及び前記下基板を連結するとともに、前記一部分断された部分に連通する締め付け間隙を設けて並設される一対の締め付け部と、を有するバッテリーターミナル本体、及び、前記締め付け間隙を介し前記一対の締め付け部を互いに近づけて前記バッテリーポスト挿入穴を縮径方向に縮める締め付け手段、を備えたバッテリーターミナルであって，前記締め付け手段は，平面視短冊形状の金属板を折り曲げて形成され、中央に第二ボルト挿通孔が螺合する雌ネジ部が形成されており、前記挿通空間に挿通される第三基板と、該第三基板の左右方向の両端部にそれぞれ連成され前記一対の締め付け部の上側内面の一端部に接触する一対の第三テーパ部が形成される第三ブラケットと、平面視短冊形状の金属板を折り曲げて形成され、前記挿通空間に挿通される第四基板と、該第四基板の左右方向の両端部にそれぞれ連成され前記一対の締め付け部の下側内面の一端部に接触する一対の第四テーパ部とを有する第四ブラケットと，前記上基板側から操作され前記雌ネジ部が螺合するとともにネジ部の先端が前記第四基板に当接し、その軸がバッテリーポスト挿入穴の軸に沿って平行となるように配置され、その頭部が上基板側に配置され、且つネジ部が締め付け間隙に挿通されるようになっている第二ボルトと，を有してなり，バッテリーターミナル本体に対しセットしたときに、前記第三基板が前記バッテリーターミナル本体の連結部の各上側内面に対向し、前記第三テーパ部が前記連結部の各上側内面の一端部に接触し、前記第四基板が前記バッテリーターミナル本体の連結部の各下側内面に対向し、前記第四テーパ部が前記連結部の各下側内面の一端部に接触するように構成したことを特徴としている。
【００１２  】
請求項１に記載された本発明によれば、締め付け手段の操作がバッテリーターミナル本体の環状部の上側から行われる。その操作は、第一ボルト及び第一ナットの螺合状態を進行させることにより開始される。そして、第一ボルト及び第一ナットの螺合状態が進行すると、その第一ボルト及び第一ナットによって、第一ブラケットと第二ブラケットとの間隔が狭まり、各第一テーパ部及び各第二テーパ部が一対の連結部における各上側外面の一端部及び各下側外面の一端部を摺接する。これにより、一対の締め付け部が互いに近づく方向に締め付けられる。また、バッテリーポスト挿入穴が縮径方向に縮み、そのバッテリーポスト挿入穴がバッテリーポストに対して圧接状態となって、バッテリーターミナルの接続が完了する。
【００１３  】
請求項２に記載された本発明によれば、締め付け手段の操作がバッテリーターミナル本体の上基板側から行われる。すなわち、第二ボルトを上基板側から操作すると、これに螺合する第三ブラケットが上昇し、第四ブラケットが下降する。そして、各第三テーパ部及び第四テーパ部が一対の連結部における各上側内面の一端部及び各下側内面の一端部を摺接する。これにより、一対の連結部が互いに近づく方向に締め付けられる。また、バッテリーポスト挿入穴が縮径方向に縮み、そのバッテリーポスト挿入穴がバッテリーポストに対して圧接状態となって、バッテリーターミナルの接続が完了する。
【００１５  】
【発明の実施の形態】
以下、図面を参照して本発明の実施の形態を説明する。
図１は本発明のバッテリーターミナルの一実施の形態を示す平面図である。また、図２は正面図、図３は右側面図、図４は締め付け間隙から見た締め付け部としての連結部の形状説明図、図５は接続に係る締め付けの操作の際の状態を説明する状態説明図である。
【００１６  】
図１ないし図３において、バッテリーターミナル３１は、バッテリーターミナル本体３２と、複数の構成部材からなる締め付け装置３３（特許請求の範囲に記載した締め付け手段に相当）とを有して構成されており、先端側の直径が基端側の直径よりも小さいテーパ状のバッテリーポスト３４に巻着するようになっている。
【００１７  】
上記バッテリーターミナル本体３２は、導電性を有する金属板をプレス加工することにより製造されており、一対の環状部３５、３６と、一対の連結部３７、３７（特許請求の範囲に記載した締め付け部に相当）と、一対の接合板３８、３９とを有している。また、バッテリーターミナル本体３２は、一対の接合板３８、３９によって保持される端子固定ボルト４０を有している。尚、バッテリーポスト３４の軸方向を垂直方向とし、バッテリーポスト３４の先端側を上、基端側を下と定義すると、本明細書において、環状部３５が上、環状部３６が下となるようにこれらが配置されている。また、同様に、接合板３８が上、接合板３９が下となるようにこれらが配置されている。
【００１８  】
環状部３５は、平板状の上基板４１を有している。その上基板４１の略中央には、バッテリーポスト３４を挿入するためのバッテリーポスト挿入穴４２が上下方向に貫通形成されている。また、上基板４１の左右両端部には、先端が下に向く係合部４３、４３がそれぞれ連成されている。
【００１９  】
バッテリーポスト挿入穴４２は、バッテリーポスト３４の周側面に接触する部分であって、先端が下に向くように上基板４１から折り曲げられて形成されている。また、バッテリーポスト挿入穴４２は、バッテリーポスト３４の先端側の直径に合わせて環状に形成されている。さらに、バッテリーポスト挿入穴４２は、連結部３７、３７の間となる部分が分断された状態で形成されている。尚、引用符号４４はバッテリーポスト挿入穴４２の一部分断された部分を示している。
【００２０  】
環状部３６は、平板状の下基板４５を有している。その下基板４５の略中央には、バッテリーポスト３４を挿入するためのバッテリーポスト挿入穴４６が上下方向に貫通形成されている。また、下基板４５の左右両端部には、先端が上に向く係合部４７、４７（一方のみ図示。以下同様）がそれぞれ連成されている。
【００２１  】
バッテリーポスト挿入穴４６は、バッテリーポスト３４の周側面に接触する部分であって、先端が下に向くように下基板４５から折り曲げられて形成されている。また、バッテリーポスト挿入穴４６は、バッテリーポスト３４の基端側の直径に合わせて環状に形成されている。さらに、バッテリーポスト挿入穴４６は、連結部３７、３７の間となる部分が分断された状態で形成されている。尚、引用符号４８はバッテリーポスト挿入穴４６の一部分断された部分を示している。
【００２２  】
上基板４１の係合部４３、４３と下基板４５の係合部４７、４７は、その先端同士が対向するように配置されている。また、先端同士が当接若しくは近接した状態に配置されている。
【００２３  】
連結部３７、３７は、上基板４１及び下基板４５が上下に重なるようにこれらを連結する部分であって、Ｕ字状に湾曲させられた状態に形成（図４参照）されている。すなわち、連結部３７、３７の各一端が上基板４１の前端に連成され（前端における一部分断された部分４４の左右両側に連成される）、各他端が下基板４５の前端に連成されている（前端における一部分断された部分４８の左右両側に連成される）。また、連結部３７、３７は、上記の一部分断された部分４４、４８に連通する締め付け間隙４９を有して左右方向に並設されている。Ｕ字状に湾曲形成（図４参照）された内側には、左右方向に貫通する挿通空間５０、５０（図４参照。一方のみ図示）がそれぞれ形成されている。
【００２４  】
接合板３８は、上基板４１の後端に連成される接触板部５１と、その接触板部５１の左右両端部に連成される下向きの側壁５２、５２（一方のみ図示）とを有して構成されている。接触板部５１は、矩形状の平板であって、その中央には、端子固定ボルト４０に対するボルト挿通穴が貫通形成されている。
【００２５  】
接合板３９は、下基板４５の後端に連成されるボルト立設板部５３と、そのボルト立設板部５３の左右両端部及び後端部に連成される側壁５４、５４、５４（二つのみ図示）とを有して構成されている。側壁５４、５４の外側には、接合板３８の側壁５２、５２が配置されている。
【００２６  】
尚、接合板３８、３９及び端子固定ボルト４０により、従来例で説明したような外部接続端子１４（図８参照）に対する接続部が構成されるものとする。
【００２７  】
上記締め付け装置３３は、締め付け間隙４９を介して連結部３７、３７を互いに近づけ、バッテリーポスト挿入穴４２、４６を縮径方向に縮めるものであって、第一ブラケット５５と、第二ブラケット５６と、第一ボルト５７と、その第一ボルト５７に螺合する第一ナット５８とを有して構成されている。
【００２８  】
第一ブラケット５５は、平面視短冊形状の金属板を折り曲げて形成されており、第一基板５９と一対の第一テーパ部６０、６０とを有している。第一基板５９の中央には、第一ボルト５７に対する第一ボルト挿通孔５９ａ（図５参照）が貫通形成されており、第一基板５９の長手方向（左右方向）の両端部には、先端に向けて次第に間隔が広がるように第一テーパ部６０、６０がそれぞれ連成されている。尚、締め付け装置３３がバッテリーターミナル本体３２に対しセットされると、第一基板５９が連結部３７、３７の各上側外面６１、６１に対向し、第一テーパ部６０、６０が各上側外面６１、６１の一端部に接触するようになっている。
【００２９  】
第二ブラケット５６は、第一ブラケット５５と同様に、平面視短冊形状の金属板を折り曲げて形成されており、第二基板６２と一対の第二テーパ部６３、６３とを有している。第二基板６２の中央には、第一ボルト５７に対する第二ボルト挿通孔６２ａ（図５参照）が貫通形成されており、第二基板６２の長手方向（左右方向）の両端部には、先端に向けて次第に間隔が広がるように第二テーパ部６３、６３がそれぞれ連成されている。尚、締め付け装置３３がバッテリーターミナル本体３２に対しセットされると、第二基板６２が連結部３７、３７の各下側外面６４、６４に対向し、第二テーパ部６３、６３が各下側外面６４、６４の一端部に接触するようになっている。第二ブラケット５６は、第一ブラケット５５と同じものである。
【００３０  】
第一ボルト５７は、その軸Ｌ１がバッテリーポスト挿入穴４２、４６の軸Ｌ２に沿って平行となるように配置されている。また、第一ボルト５７は、第一ナット５８を上基板４１側から螺合することができるように配置されている（第一ボルト５７の頭部６５が下基板４５側に配置される）。さらに、第一ボルト５７は、締め付け間隙４９に挿通されるようになっている（締め付け間隙４９が狭い場合には、連結部３７、３７に第一ボルト５７に対する逃がし部分を形成する必要があるものとする）。尚、第一ブラケット５５と第二ブラケット５６とを挿し通した後に第一ナット５８が螺合するようになっている。
【００３１  】
次に、上記構成に基づき、バッテリーターミナル３１のバッテリーポスト３４に対する接続を説明する（図１〜図３、及び図５参照）。尚、バッテリーポスト３４を設けたバッテリー（不図示）の周辺には、設置部品（不図示）が水平方向に過密化した状態で設置されているものとする。
【００３２  】
先ず、矢線Ｐ方向（垂直方向に一致する）に移動させてバッテリーポスト３４の上記周側面にバッテリーポスト挿入穴４２、４６を接触させる。次に、バッテリーターミナル本体３２の向きを所定方向に合わせて配置する。続いて、バッテリーターミナル本体３２の上方から（垂直方向から）インパクトレンチ等の図示しない工具で第一ナット５８を矢線Ｑ方向に回転させ、接続に係る締め付けの操作を実施する。
【００３３  】
締め付けの操作において、第一ナット５８が矢線Ｑ方向に回転すると、第一ボルト５７及び第一ナット５８の螺合状態が進行する。そして、第一ボルト５７及び第一ナット５８によって、第一ブラケット５５と第二ブラケット５６との間隔が狭まり（矢線Ｒ方向参照）、各第一テーパ部６０、６０及び各第二テーパ部６３、６３が連結部３７、３７における各上側外面６１、６１の一端部及び各下側外面６４、６４の一端部を摺接する。これにより、連結部３７、３７が互いに近づく方向（矢線Ｓ方向参照）に締め付けられる。また、バッテリーポスト挿入穴４２、４６が縮径方向に縮み、そのバッテリーポスト挿入穴４２、４６がバッテリーポスト３４の上記周側面に対して圧接状態になる。バッテリーターミナル３１の接続が完了する。
【００３４  】
以上説明したように、バッテリーターミナル本体３２の上方から（垂直方向から）インパクトレンチ等の図示しない工具を操作してバッテリーターミナル３１をバッテリーポスト３４に接続することができる。従って、上記図示しない工具と、バッテリー周辺の設置部品（不図示）との干渉が確実に避けられ、バッテリーターミナル３１の接続に係る作業（取り付けに係る作業）を容易に実施することができる。また、第一ブラケット５５と第二ブラケット５６とを設けることにより、低い締め付け力で均一に締め付けをすることができる。
【００３５  】
続いて、図６及び図７を参照しながら本発明によるバッテリーターミナルの他の一実施の形態を説明する。図６は斜視図、図７は接続に係る締め付けの操作の際の状態を説明する状態説明図である。尚、上述と基本的に同じ構成部材については、同一の符号を付してその説明を省略するものとする。
【００３６  】
図６及び図７において、バッテリーターミナル７１は、上述と同じバッテリーターミナル本体３２と、複数の構成部材からなる締め付け装置７２（特許請求の範囲に記載した締め付け手段に相当）とを有して構成されており、バッテリーポスト３４に巻着するようになっている。
【００３７  】
上記締め付け装置７２は、上述と同様に、締め付け間隙４９を介して締め付け部としての連結部３７、３７を互いに近づけ、バッテリーポスト挿入穴４２、４６を縮径方向に縮めるものであって、挿通空間５０、５０に挿通される第三ブラケット７３と、同じく挿通空間５０、５０に挿通される第四ブラケット７４と、第二ボルト７５と、第二ボルト７５に挿通されるワッシャ７６とを有して構成されている。
【００３８  】
第三ブラケット７３は、平面視短冊形状の金属板を折り曲げて形成されており、第三基板７７と一対の第三テーパ部７８、７８とを有している。第三基板７７の中央には、第二ボルト７５に螺合する雌ネジ部７９が形成されており、第三基板７７の長手方向（左右方向）の両端部には、先端に向けて次第に間隔が広がるように第三テーパ部７８、７８がそれぞれ連成されている。尚、締め付け装置７２がバッテリーターミナル本体３２に対しセットされると、第三基板７７が連結部３７、３７の各上側内面８０、８０に対向し、第三テーパ部７８、７８が各上側内面８０、８０の一端部に接触するようになっている。
【００３９  】
第四ブラケット７４は、平面視短冊形状の金属板を折り曲げて形成されており、第四基板８１と、その第四基板８１の長手方向（左右方向）の両端部にそれぞれ連成される一対の第四テーパ部８２、８２とを有している。第四テーパ部８２、８２は、先端に向けて次第に間隔が広がるように第四基板８１両端部にそれぞれ連成されている。尚、締め付け装置７２がバッテリーターミナル本体３２に対しセットされると、第四基板８１が連結部３７、３７の各下側内面８３、８３に対向し、第四テーパ部８２、８２が各下側内面８３、８３の一端部に接触するようになっている。
【００４０  】
第二ボルト７５は、その軸Ｌ３がバッテリーポスト挿入穴４２、４６の軸Ｌ２に沿って平行となるように配置されている。また、第二ボルト７５は、その頭部８４が上基板４１側に配置され、且つネジ部８５が締め付け間隙４９に挿通されるようになっている（締め付け間隙４９が狭い場合には、連結部３７、３７に第二ボルト７５に対する逃がし部分を形成する必要があるものとする）。尚、締め付け装置７２がバッテリーターミナル本体３２に対しセットされると、ネジ部８５の先端が第四基板８１に当接するようになっている。
【００４１  】
上記構成に基づき、バッテリーターミナル７１のバッテリーポスト３４に対する接続を説明する。尚、バッテリーポスト３４を設けたバッテリー（不図示）の周辺には、設置部品（不図示）が水平方向に過密化した状態で設置されているものとする。
【００４２  】
先ず、矢線Ｐ方向（垂直方向に一致する）に移動させてバッテリーポスト３４の上記周側面にバッテリーポスト挿入穴４２、４６を接触させる。次に、バッテリーターミナル本体３２の向きを所定方向に合わせて配置する。続いて、バッテリーターミナル本体３２の上方から（垂直方向から）インパクトレンチ等の図示しない工具で第二ボルト７５の頭部８４を矢線Ｑ方向に回転させ、接続に係る締め付けの操作を実施する。
【００４３  】
締め付けの操作において、頭部８４が矢線Ｑ方向に回転すると、第三ブラケット７３及び第四ブラケット７４の間隔が広がる（矢線Ｔ方向参照）。すなわち、第二ボルト７５に螺合する第三ブラケット７３が上昇し、第四ブラケット７４が下降する。そして、各第三テーパ部７８、７８及び第四テーパ部８２、８２が連結部３７、３７における各上側内面８０、８０の一端部及び各下側内面８３、８３の一端部を摺接する。これにより、連結部３７、３７が互いに近づく方向（矢線Ｓ方向参照）に締め付けられる。また、バッテリーポスト挿入穴４２、４６が縮径方向に縮み、そのバッテリーポスト挿入穴４２、４６がバッテリーポスト３４の上記周側面に対して圧接状態になる。バッテリーターミナル７１の接続が完了する。
【００４４  】
以上説明したように、バッテリーターミナル本体３２の上方から（垂直方向から）インパクトレンチ等の図示しない工具を操作してバッテリーターミナル７１をバッテリーポスト３４に接続することができる。従って、上記図示しない工具と、バッテリー周辺の設置部品（不図示）との干渉が確実に避けられ、バッテリーターミナル７１の接続に係る作業（取り付けに係る作業）を容易に実施することができる。また、第三ブラケット７３と第四ブラケット７４とを設けることにより、低い締め付け力で均一に締め付けをすることができる。
【００４５  】
尚、上述の二つの形態から分かるように、バッテリーターミナル本体３２や、これに対応する従来例で説明した部分を流用することが可能である。これにより、エンジンルームレイアウト上の問題で、上から締める必要がある場合には上述の締め付け装置３３又は７２を用いればよい。また、レイアウト上問題がなければ、従来例で説明した横から締めるタイプを用いればよい。コストを抑えることができるようになるのは言うまでもない。その他、本発明は本発明の主旨を変えない範囲で種々変更実施可能なことは勿論である。すなわち、上述ではバッテリーターミナル本体３２をプレス加工により形成していたが、これに限らず鋳物等で形成してもよいものとする（この場合、例えば環状部、接合部が上述と異なり各一つになる）。
【００４６  】
【発明の効果】
以上説明したように、請求項１に記載された本発明によれば、締め付け手段の操作をバッテリーターミナル本体の環状部の上側で行うことができる。すなわち、上締めにより行うことができる。これにより、締め付け手段に対する締め付け工具と、バッテリー周辺の設置部品との干渉が確実に避けられ、バッテリーターミナルの取り付けに係る作業を容易にすることができる。
【００４７  】
請求項２に記載された本発明によれば、締め付け手段の操作をバッテリーターミナル本体の上基板側で行うことができる。すなわち、上締めにより行うことができる。これにより、締め付け手段に対する締め付け工具と、バッテリー周辺の設置部品との干渉が確実に避けられ、バッテリーターミナルの取り付けに係る作業を容易にすることができる。
【図面の簡単な説明】
【図１】本発明によるバッテリーターミナルの一実施の形態を示す平面図である。
【図２】図１のバッテリーターミナルの正面図である。
【図３】図１のバッテリーターミナルの右側面図である。
【図４】締め付け間隙から見た締め付け部としての連結部の形状説明図である。
【図５】接続に係る締め付けの操作の際の状態を説明する状態説明図である。
【図６】本発明によるバッテリーターミナルの他の一実施の形態を示す斜視図である。
【図７】接続に係る締め付けの操作の際の状態を説明する状態説明図であり、（ａ）は操作開始時の図、（ｂ）は操作完了時の図である。
【図８】従来例のバッテリーターミナルの外観斜視図である。
【符号の説明】
３１、７１  バッテリーターミナル
３２  バッテリーターミナル本体
３３、７２  締め付け装置（締め付け手段）
３４  バッテリーポスト
３５、３６  環状部
３７  連結部（締め付け部）
３８、３９  接合板
４０  端子固定ボルト
４１  上基板
４２、４６  バッテリーポスト挿入穴
４３、４７  係合部
４４、４８  一部分断された部分
４５  下基板
４９  締め付け間隙
５０  挿通空間
５１  接触板部
５２、５４  側壁
５３  ボルト立設板部
５５  第一ブラケット
５６  第二ブラケット
５７  第一ボルト
５８  第一ナット
５９  第一基板
５９ａ  第一ボルト挿通孔
６０  第一テーパ部
６１  上側外面
６２  第二基板
６２ａ  第二ボルト挿通孔
６３  第二テーパ部
６４  下側外面
６５  頭部
７３  第三ブラケット
７４  第四ブラケット
７５  第二ボルト
７６  ワッシャ
７７  第三基板
７８  第三テーパ部
７９  雌ネジ部
８０  上側内面
８１  第四基板
８２  第四テーパ部
８３  下側内面
８４  頭部
８５  ネジ部
【図１】
0003907427.tif 000002
【図２】
0003907427.tif 000003
【図３】
0003907427.tif 000004
【図４】
0003907427.tif 000005
【図５】
0003907427.tif 000006
【図６】
0003907427.tif 000007
【図７】
0003907427.tif 000008
【図８】
0003907427.tif 000009